(57)【特許請求の範囲】
【請求項１】
一部に注水用の逆止弁を備えた袋本体と、該袋本体内に収納される所要大きさに固形化した硝安や尿素等の冷却剤と、該冷却剤の周囲を包装し水と反応してゲル化すると共にアルカリ性粉末を含有する吸水性・保水性シートとからなり、使用時に前記逆止弁から水を注入して前記吸水性・保水性シートをゲル化させることにより冷却剤と水との反応を徐々に行わせて冷却効果を長時間持続させる構成にしたことを特徴とする保冷袋。
【請求項２】
前記水分と反応してゲル化する吸水性・保水性シートは、アクリル酸ナトリウムまたはアクリル酸カルシウムで形成されていることを特徴とする請求項１に記載の保冷袋。
【請求項３】
前記水分と反応してゲル化する吸水性・保水性シートは、含有させたアルカリ性粉末によって、冷却剤と水分との反応で酸化した冷却剤の周囲のゲルをｐＨ調整してアルカリ性にすることを特徴とする請求項１または２に記載の保冷袋。
【発明の詳細な説明】
【０００１】
【発明の属する技術分野】
本発明は、水分或いは液体と固形化した冷却剤とを反応させ、簡易に冷却状態を得る事のできる保冷袋の改良に関するものである。
【０００２】
【従来の技術】
一般に、保冷袋は魚介類や肉類、生鮮野菜等を貯蔵や搬送中に冷却するために使用されていた。また、スポーツ後の筋肉や血管を冷やしたり、打ち身、捻挫箇所の冷却に使用されている。
更に、病気で発熱した場合に頭部を冷やしたり、勉学の際に頭を冷やしたりするために使用されている。
これらの保冷袋は、袋の内部に収納された冷却剤と注入した水分を反応させ、化学反応による冷却効果を利用するものである。
【０００３】
【発明が解決しようとする課題】
ところで、上述した従来の保冷袋において、冷却剤と注入した水分との反応が一度に行われるために、急激な冷却効果、例えば、−２度Ｃ程度の冷却効果が得られるものの、冷却時間が２時間程度しか持続せず、宅配便等で鮮魚や肉類を搬送する為に必要とされる２４時間程度、持続させる事ができなかった。特に、冷却剤が顆粒状やペレット状で収納されているために、水に対する溶解速度が大きく、急激に冷却反応が起っていた。
また、宅配便等で鮮魚や肉類を搬送する場合、搬送する品物は予め予冷却してある場合が殆どである。したがって、一旦冷却された品物を０度Ｃ近辺の温度で保持すれば良く、−２度Ｃまで急激に低下させる必要がなかった。
【０００４】
本発明の目的は、上述した従来の欠点に鑑みなされたもので、０度Ｃ近辺の温度で長時間冷却する事のできる保冷袋を提供することにある。
【０００５】
【課題を解決するための手段】
本発明に係る保冷袋は、一部に注水用の逆止弁を備えた袋本体と、該袋本体内に収納される所要大きさに固形化した硝安や尿素等の冷却剤と、該冷却剤の周囲を包装し水と反応してゲル化すると共にアルカリ性粉末を含有する吸水性・保水性シートとからなり、使用時に前記逆止弁から水を注入して前記吸水性・保水性シートをゲル化させることにより冷却剤と水との反応を徐々に行わせて冷却効果を長時間持続させる構成にしたことを特徴とするものである。
【０００６】
前記水と反応してゲル化する吸水性・保水性シートは、アクリル酸ナトリウムまたはアクリル酸カルシウムで形成されていることを特徴とするものである。また、前記水と反応してゲル化する吸水性・保水性シートは、含有させたアルカリ性粉末によって、冷却剤と水分との反応で酸化した冷却剤の周囲のゲルをｐＨ調整してアルカリ性にすることを特徴とするものである。
【０００７】
【作用】
このように、本発明に係る保冷袋によれば、限られた量の冷却剤であっても、水分との反応を徐々にする事により、長期に渡り冷却効果を持続する事ができる。
【０００８】
【発明の実施の形態】
以下、添付図面に従って本発明の一実施例を説明する。図１は、本発明の保冷袋の全体正面図、図２は本発明の保冷袋の縦断面図、図３は同保冷袋に使用される逆止弁の断面図である。本発明の保冷袋１０は、一部に注水用の逆止弁１１を備えた袋本体１２から構成されている。
【０００９】
袋本体１２は、合成樹脂製のフィルム、例えば、ポリエチレンフィルムを熱溶着して構成する。溶着ライン１３は、本実施例の場合に袋本体１２の上端及び下端に形成されている。尚、熱溶着の他に高周波溶着等を利用してもよい。
【００１０】
逆止弁１１は、図１，図３に示すようにポリエチレンフィルム等の両端をほぼ平行に熱シールして溶着ライン１４によって両端の開放された封筒状体部１１ａを形成する。また、該封筒状体内に複数の逆流防止シール部１５を形成する。逆流防止シール部１５は、熱溶着によって形成され、液体の注入方向に沿って後退しており、中央部が開口している。したがって、この逆流防止シール部１５の存在によって、液体は逆方向に流れ難くなる。更に、後述する薄い弁体部１６のマクレ込みを防止する。
【００１１】
逆止弁１１は、前記封筒状体部１１ａの奥端に薄いフィルム部材で形成された弁体部１６が封筒状に延設されている。前記逆流防止シール部１５の一部は、弁体部１６に跨って形成されている。弁体部１６は、薄いフィルムで形成されているので、注入方向から液体が注がれた場合には、流路が閉じて逆止弁を構成する。また、逆止弁１１を袋本体１２に取り付ける場合には、図１に示すように幅Ｈの空隙を確保す為に、幅Ｈの紙等を挟んだ状態で熱溶着して溶着ライン１３を形成する。
【００１２】
冷却剤１７は、硝安、尿素等の固形物が塊状に形成されており、吸水性・保水性シート１８に包まれて収納されている。吸水性・保水性シート１８は、例えばアクリル酸ナトリウム、アクリル酸カルシュウム等から構成されている。したがって、袋本体１２内に水分が供給されると、図５に示すように吸水性・保水性シート１８が供給された水分を吸ってゲル化し、冷却剤１７の周囲がゲル１９で充満される。更に、吸水性・保水性シート１８は、アルカリ性粉末２０を含有している。アルカリ性粉末２０は、例えば、消石灰等を粉末にして吸水性・保水性シート１８に含浸させてもよい。
【００１３】
また、冷却剤である硝安、尿素は、水分と反応すると、酸性を呈し周囲のゲルを酸化する。ところが、ゲル１９は、一般に酸化或いはアルカリ化されると吸水率が低下して、含有している水分を排出してしまう。この為に、冷却剤１７と水分との反応が一度に促進されてしまう。そこで、吸水性・保水性シート１８に含浸された、アルカリ性粉末２０が酸化されたゲル１９を中和して、ｐＨを調整を行い、ゲル１９の吸水性を回復する。
【００１４】
次に、以上のように構成された保冷袋１０の使用方法について説明する。先ず、図１，２に示すような冷却剤１７及び吸水性・保水性シート１８のみが収納された保冷袋１０内に逆止弁１１から水分を供給する。水分は、冷却剤１７とほぼ同量補給する。供給は、逆止弁１１の封筒状体部１１ａの先端を開き、蛇口等から注入する。水分が給送されると、図４に示すように膨れて袋本体１２の内部圧力が上昇する。内部圧力が上昇すると、逆止弁１１の働きにより、水が漏れる事がない。
【００１５】
逆止弁１１は、内圧を受けた場合に薄いフィルムで形成された弁体部１６が閉じて、水分を漏らす事がない。更に、注入された水分が吸水性・保水性シート１８により全てゲル化するので、漏れ難くなる。また、弁体部１６は、逆流防止シール部１５によって一部がシールされているので、捲れて外方へ押し出される虞もない。
【００１６】
図５に示すように注入された水分は、吸水性・保水性シート１８によってゲル化し、冷却剤１７と徐々に反応する。また、冷却剤１７は、一個の塊状に形成されているので、水分と接触する面が限られている。したがって、冷却反応が緩慢に行われ、急激な温度低下を来す事がなく、長期に渡り冷却作用が持続する。更に、冷却剤１７と水分の反応により酸化され、吸水率の低下したゲル１９は、含浸されたアルカリ性粉末２０により中和されて、吸水率を回復し、長期に渡り吸熱反応が持続できる。本実施例では、２４時間程度の冷却効果の持続が可能である。
【００１７】
以上のように構成された保冷袋は、５度Ｃ以下、特に０度Ｃ近辺の温度が長時間維持できるので、宅配便に入れ、鮮魚や肉等を冷却し搬送する事ができる。つまり、鮮魚や肉等は、すでに０度近くまで冷却されており、この状態を保持できれば十分である。また、発熱した病人の頭部や打ち身、捻挫部位の冷却にも氷嚢の代用として使用する事ができる。
【００１８】
また、袋本体１２を不織布をラミネート加工して構成した場合、耐圧性が向上するので、水枕としても使用する事ができる。
尚、本発明は以上の実施例に限ることなく本発明の技術思想に基づいて種々の設計変更が可能である。
【００１９】
【発明の効果】
以上詳細に説明したように、本発明に係る保冷袋によれば、一部に注水用の逆止弁を備えた袋本体と、該袋本体内に収納される所要大きさに固形化した硝安や尿素等の冷却剤と、該冷却剤の周囲を包装し水と反応してゲル化すると共にアルカリ性粉末を含有する吸水性・保水性シートとからなり、使用時に前記逆止弁から水を注入して前記吸水性・保水性シートをゲル化させることにより冷却剤と水との反応を徐々に行わせて冷却効果を長時間持続させる構成にしたので、保冷袋の使用時に所要量の水分を注入しても、冷却剤の周囲を覆っている吸水性・保水性シートがゲル化することで、水分と冷却剤との反応が徐々に行われるようになり、長時間に渡り保冷効果を保持することができる。したがって、鮮魚や肉類を新鮮な状態で宅配便で搬送することができる。また、本発明の保冷袋では、水分がゲル化して固形化した冷却剤と急激に反応しないので、発熱した病人が頭部等を冷やすために使用しても凍傷になる虞もなく、長時間に渡り使用することができる。
【００２０】
前記吸水性・保水性シートは、アクリル酸ナトリウムまたは、アクリル酸カルシュウムから成り、水分と反応するとゲル化するので、注入された水分がゲル化して固形化した冷却剤との反応が緩慢に行われ、長時間に渡り冷却効果を持続する事ができる。
【００２１】
前記吸水性・保水性シートは、アルカリ性粉末を含有し、冷却剤と水分との反応で酸化した冷却剤の周囲のゲルをｐＨ調整するので、酸化によりゲルの保水量が減少するのを防止する事ができ、長時間に渡り保冷効果を持続する事ができる。
【図面の簡単な説明】
【図１】本発明の保冷袋の全体正面図である。
【図２】本発明の保冷袋の縦断面図である。
【図３】同保冷袋に使用される逆止弁の断面図である。
【図４】同保冷袋の内部に水を充満した状態を示す縦断面図である。
【図５】同保冷袋の内部にゲルが充満し、反応が進んだ状態を示す縦断面図である。
【符号の説明】
１０          保冷袋
１１          逆止弁
１１ａ        封筒状体部
１２          袋本体
１３          溶着ライン
１４          溶着ライン
１５          逆流防止シール部
１６          弁体部
１７          冷却剤
１８          吸水性・保水性シート
１９          ゲル
２０          アルカリ性粉末
【図１】
0003953126.tif 000002
【図２】
0003953126.tif 000003
【図３】
0003953126.tif 000004
【図４】
0003953126.tif 000005
【図５】
0003953126.tif 000006